(57)【要約】【課題】本発明は自動的に温度を調節するマッサージ枕を開示した。  【解決手段】底板を含み、前記底板の外側には外側枕が設置され、前記底板の頂部端面には内層枕が設置され、前記内層枕の中には左右対称の上方へ開口した円柱溝が設置され、第一モータが起動してネジ山軸が回転し始め、ネジ山軸がネジ山による連結を通じてネジ山スリーブとマッサージカバーとを連動させて上方へ移動させ、第二モータが起動して両側の駆動軸を連動させて回転させ、駆動軸が第一ベベルギヤを連動させて回転させ、第一ベベルギヤが噛み合いにより回転板を連動させて回転させ、マッサージのヘッドが伸縮でき、寝ている時にぶつかることを避け、熱を生じて睡眠の助けになれ、しかも同時に温度を測定でき、タッチスクリーンと回路基板とにより温度の範囲を制御し、また目覚まし時計の時間を設定でき、多機能を一体化にする。【選択図】図１
2020185361.tif 000002
【特許請求の範囲】
【請求項１】
正面視で、底板を含み、前記底板の外側には外側枕が設置され、前記底板の頂部端面には内層枕が設置され、前記内層枕の中には左右対称の上方へ開口した円柱溝が設置され、前記底板の中には駆動チャンバが設置され、前記駆動チャンバの底壁には左右対称の回転軸が回転できるように装着され、前記回転軸の頂端には回転板が設置され、前記回転板の頂部端面には回転スポンジが設置され、前記回転スポンジの中には上方へ開口した伸縮孔が設置され、前記回転板の頂部端面のうち前記伸縮孔の中に位置しているところには伸縮できるマッサージヘッドが設置され、前記駆動チャンバの中には前記マッサージヘッドを制御して回転させてマッサージさせる駆動部品が設置され、前記底板と前記内層枕の中には前記外側枕を加熱できて温度を制御する智能温度制御装置が設置され、前記マッサージヘッドは前記回転板の頂部端面に固定的に装着された第一モータと固定カバーとを含み、前記第一モータの上向きの出力軸にはネジ山軸が連結され、前記ネジ山軸にはネジ山スリーブがネジ山により装着され、前記ネジ山スリーブの外側には左右対称の連結ロッドが設置されていることを特徴とする自動的に温度を調節するマッサージ枕。
【請求項２】
前記連結ロッドの外側にはマッサージカバーが設置され、前記固定カバーの内輪内壁には均一的に配置された四つのリミットブロックが設置され、前記マッサージカバーの外側端面には均一的に配置された四つのリミット溝が設置され、前記リミットブロックが前記リミット溝とスライドできるように装着され、前記マッサージカバーの外側にはゴムカバーが設置され、左側の前記回転板の底部端面には測定ロッドが設置され、前記駆動チャンバの左側壁の中には前記測定ロッドの位置を測定するセンサーが設置されていることを特徴とする請求項１に記載の自動的に温度を調節するマッサージ枕。
【請求項３】
前記駆動部品は前記駆動チャンバの底壁に位置している第二モータを含み、前記第二モータと前記駆動チャンバの頂壁との間にはモータ固定ブロックが設置され、前記駆動チャンバの底壁には左右対称の軸安定ブロックが設置されていることを特徴とする請求項１に記載の自動的に温度を調節するマッサージ枕。
【請求項４】
前記駆動チャンバの左右両側の出力軸が駆動軸と連結され、前記駆動軸が前記軸安定ブロックと回転できるように連結され、前記駆動軸の端部には第一ベベルギヤが設置され、前記回転軸には第二ベベルギヤが設置され、前記第一ベベルギヤが前記第二ベベルギヤとの噛み合いにより前記回転軸と前記回転板とを連動させて回転させることができ、これにより第二モータが起動した後に両側の駆動軸を連動させて回転させ、駆動軸が第一ベベルギヤを連動させて回転させ、第一ベベルギヤが噛み合いにより回転板を連動させて回転させることを特徴とする請求項１に記載の自動的に温度を調節するマッサージ枕。
【請求項５】
前記智能温度制御装置は前記内層枕の中に位置している曲がっている第一電熱線カバーを含み、前記第一電熱線カバーの中には第一電熱線が設置され、前記底板の中には温度測定チャンバが設置され、前記温度測定チャンバの左右壁の間には前記モータ固定ブロックと同じ材質の温度測定カバーが設置され、前記温度測定カバーの中には前記第一電熱線カバーと同じ材質の第二電熱線カバーが設置され、前記第二電熱線カバーの中には前記第一電熱線と同じ材質の第二電熱線が設置され、前記温度測定カバーの外側には温度測定器が設置されていることを特徴とする請求項１に記載の自動的に温度を調節するマッサージ枕。
【請求項６】
前記底板の中には音を出せるブザーが設置され、人がタイムリーに起きるように注意できることを特徴とする請求項１に記載の自動的に温度を調節するマッサージ枕。
【請求項７】
前記底板の中には下方へ開口したスクリーンチャンバが設置され、前記スクリーンチャンバの頂壁には回路基板が設置され、前記回路基板の底部端面には目覚まし時計の時間を設定できるタッチスクリーンが連結され、前記タッチスクリーンが温度の範囲と目覚まし時計の時間を設定できることを特徴とする請求項１に記載の自動的に温度を調節するマッサージ枕。
【発明の詳細な説明】
【技術分野】
【０００１】
本発明は智能枕分野を取り上げて、具体的には自動的に温度を調節するマッサージ枕である。
【背景技術】
【０００２】
良い枕が体をリッラクスすることの助けになり、もっと良い眠りにつき、たくさんの人の頚椎が痛み、按摩器を利用して頚椎を按摩した後に眠ると体を更によくリラックスでき、しかし、こうすると面倒くさく、もし枕と按摩器を組み合わせられるともっと良い効果があり、南方の冬の日に室内が比較的に寒く、眠る時に頭の部分が比較的に寒く、もし枕を加熱できるとこの問題を解決でき、現有の智能枕にこれらの機能が欠けている。
【先行技術文献】
【特許文献】
【０００３】
【特許文献１】中国特許出願公開第１０３３９３３１４号明細書
【発明の概要】
【発明が解決しようとする課題】
【０００４】
本発明は自動的に温度を調節するマッサージ枕を提供し、従来技術における上記欠点を解消することを目的とする。
【課題を解決するための手段】
【０００５】
本発明の実施例の自動的に温度を調節するマッサージ枕は、底板を含み、前記底板の外側には外側枕が設置され、前記底板の頂部端面には内層枕が設置され、前記内層枕の中には左右対称の上方へ開口した円柱溝が設置され、前記底板の中には駆動チャンバが設置され、前記駆動チャンバの底壁には左右対称の回転軸が回転できるように装着され、前記回転軸の頂端には回転板が設置され、前記回転板の頂部端面には回転スポンジが設置され、前記回転スポンジの中には上方へ開口した伸縮孔が設置され、前記回転板の頂部端面のうち前記伸縮孔の中に位置しているところには伸縮できるマッサージヘッドが設置され、前記駆動チャンバの中には前記マッサージヘッドを制御して回転させてマッサージさせる駆動部品が設置され、前記底板と前記内層枕の中には前記外側枕を加熱できて温度を制御する智能温度制御装置が設置されている。
【０００６】
更の技術プランとしては、前記マッサージヘッドは前記回転板の頂部端面に固定的に装着された第一モータと固定カバーとを含み、前記第一モータの上向きの出力軸にはネジ山軸が連結され、前記ネジ山軸にはネジ山スリーブがネジ山により装着され、前記ネジ山スリーブの外側には左右対称の連結ロッドが設置されている。
【０００７】
更の技術プランとしては、前記連結ロッドの外側にはマッサージカバーが設置され、前記固定カバーの内輪内壁には均一的に配置された四つのリミットブロックが設置され、前記マッサージカバーの外側端面には均一的に配置された四つのリミット溝が設置され、前記リミットブロックが前記リミット溝とスライドできるように装着され、前記マッサージカバーの外側にはゴムカバーが設置され、左側の前記回転板の底部端面には測定ロッドが設置され、前記駆動チャンバの左側壁の中には前記測定ロッドの位置を測定するセンサーが設置されている。
【０００８】
更の技術プランとしては、前記駆動部品は前記駆動チャンバの底壁に位置している第二モータを含み、前記第二モータと前記駆動チャンバの頂壁との間にはモータ固定ブロックが設置され、前記駆動チャンバの底壁には左右対称の軸安定ブロックが設置されている。
【０００９】
更の技術プランとしては、前記駆動チャンバの左右両側の出力軸が駆動軸と連結され、前記駆動軸が前記軸安定ブロックと回転できるように連結され、前記駆動軸の端部には第一ベベルギヤが設置され、前記回転軸には第二ベベルギヤが設置され、前記第一ベベルギヤが前記第二ベベルギヤとの噛み合いにより前記回転軸と前記回転板とを連動させて回転させることができる。
【００１０】
更の技術プランとしては、前記智能温度制御装置は前記内層枕の中に位置している曲がっている第一電熱線カバーを含み、前記第一電熱線カバーの中には第一電熱線が設置され、前記底板の中には温度測定チャンバが設置され、前記温度測定チャンバの左右壁の間には前記モータ固定ブロックと同じ材質の温度測定カバーが設置され、前記温度測定カバーの中には前記第一電熱線カバーと同じ材質の第二電熱線カバーが設置され、前記第二電熱線カバーの中には前記第一電熱線と同じ材質の第二電熱線が設置され、前記温度測定カバーの外側には温度測定器が設置されている。
【００１１】
更の技術プランとしては、前記底板の中には音を出せるブザーが設置され、人がタイムリーに起きるように注意できる。
【００１２】
更の技術プランとしては、前記底板の中には下方へ開口したスクリーンチャンバが設置され、前記スクリーンチャンバの頂壁には回路基板が設置され、前記回路基板の底部端面には目覚まし時計の時間を設定できるタッチスクリーンが連結され、前記タッチスクリーンが温度の範囲と目覚まし時計の時間を設定できる。
【発明の効果】
【００１３】
本発明の有益効果は：本発明は構成が簡単で、操作が便利で、マッサージのヘッドが伸縮でき、寝ている時にぶつかることを避け、熱を生じて睡眠の助けになれ、しかも同時に温度を測定でき、タッチスクリーンと回路基板とにより温度の範囲を制御し、また目覚まし時計の時間を設定でき、多機能を一体化にし、普及する価値がある。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の全体構成模式図
【図２】図２は本発明の右側断面の構成模式図
【図３】図３は図１のＡのところの拡大模式図
【図４】図４は図１のＢのところの拡大模式図
【発明を実施するための形態】
【００１６】
図１〜４を参照し、本発明の実施例の自動的に温度を調節するマッサージ枕は、底板１１を含み、前記底板１１の外側には外側枕１０が設置され、前記底板１１の頂部端面には内層枕１７が設置され、前記内層枕１７の中には左右対称の上方へ開口した円柱溝３３が設置され、前記底板１１の中には駆動チャンバ１２が設置され、前記駆動チャンバ１２の底壁には左右対称の回転軸１３が回転できるように装着され、前記回転軸１３の頂端には回転板２６が設置され、前記回転板２６の頂部端面には回転スポンジ３２が設置され、前記回転スポンジ３２の中には上方へ開口した伸縮孔３６が設置され、前記回転板２６の頂部端面のうち前記伸縮孔３６の中に位置しているところには伸縮できるマッサージヘッド９０１が設置され、前記駆動チャンバ１２の中には前記マッサージヘッド９０１を制御して回転させてマッサージさせる駆動部品９０２が設置され、前記底板１１と前記内層枕１７の中には前記外側枕１０を加熱できて温度を制御する智能温度制御装置９０３が設置されている。  
【００１７】
前記マッサージヘッド９０１は前記回転板２６の頂部端面に固定的に装着された第一モータ４０と固定カバー３５とを含み、前記第一モータ４０の上向きの出力軸にはネジ山軸４１が連結され、前記ネジ山軸４１にはネジ山スリーブ４２がネジ山により装着され、前記ネジ山スリーブ４２の外側には左右対称の連結ロッド４４が設置されている。
【００１８】
前記連結ロッド４４の外側にはマッサージカバー３８が設置され、前記固定カバー３５の内輪内壁には均一的に配置された四つのリミットブロック４３が設置され、前記マッサージカバー３８の外側端面には均一的に配置された四つのリミット溝３７が設置され、前記リミットブロック４３が前記リミット溝３７とスライドできるように装着され、前記マッサージカバー３８の外側にはゴムカバー４５が設置され、左側の前記回転板２６の底部端面には測定ロッド４６が設置され、前記駆動チャンバ１２の左側壁の中には前記測定ロッド４６の位置を測定するセンサー３４が設置され、これにより第一モータ４０が起動した後にネジ山軸４１が回転し始め、ネジ山軸４１がネジ山による連結を通じてネジ山スリーブ４２とマッサージカバー３８とを連動させて上方へ移動させ、回転板２６が回転する時に固定カバー３５とマッサージカバー３８とを連動させて遠心運動をさせることができ、両側のマッサージカバー３８の同期の遠心運動のもとで頚椎をマッサージし始め、回転板２６が停止した後にセンサー３４が測定ロッド４６の位置を測定し、測定ロッド４６が一番左端のところに位置して初めて回転板２６が停止できる。
【００１９】
前記駆動部品９０２は前記駆動チャンバ１２の底壁に位置している第二モータ２３を含み、前記第二モータ２３と前記駆動チャンバ１２の頂壁との間にはモータ固定ブロック２７が設置され、前記駆動チャンバ１２の底壁には左右対称の軸安定ブロック２５が設置されている。
【００２０】
前記駆動チャンバ１２の左右両側の出力軸が駆動軸２４と連結され、前記駆動軸２４が前記軸安定ブロック２５と回転できるように連結され、前記駆動軸２４の端部には第一ベベルギヤ２２が設置され、前記回転軸１３には第二ベベルギヤ１４が設置され、前記第一ベベルギヤ２２が前記第二ベベルギヤ１４との噛み合いにより前記回転軸１３と前記回転板２６とを連動させて回転させることができ、これにより第二モータ２３が起動した後に両側の駆動軸２４を連動させて回転させ、駆動軸２４が第一ベベルギヤ２２を連動させて回転させ、第一ベベルギヤ２２が噛み合いにより回転板２６を連動させて回転させ、マッサージヘッド９０１と協働して頸部のマッサージを行う。
【００２１】
前記智能温度制御装置９０３は前記内層枕１７の中に位置している曲がっている第一電熱線カバー１８を含み、前記第一電熱線カバー１８の中には第一電熱線２０が設置され、前記底板１１の中には温度測定チャンバ４７が設置され、前記温度測定チャンバ４７の左右壁の間には前記モータ固定ブロック２７と同じ材質の温度測定カバー５０が設置され、前記温度測定カバー５０の中には前記第一電熱線カバー１８と同じ材質の第二電熱線カバー５１が設置され、前記第二電熱線カバー５１の中には前記第一電熱線２０と同じ材質の第二電熱線５２が設置され、前記温度測定カバー５０の外側には温度測定器４８が設置され、これにより第一電熱線２０が通電した後に内層枕１７と外側枕１０とを加熱し始めて睡眠の助けになれ、同時に第二電熱線５２が通電した後に第二電熱線カバー５１と温度測定カバー５０とを加熱し始め、温度測定器４８が温度測定カバー５０の温度を測定し、温度測定カバー５０の温度が即ち第一電熱線カバー１８の外側の内層枕１７の温度であり、温度測定器４８は温度測定カバー５０の温度が高すぎることを検出した後に第二電熱線５２と第一電熱線２０との電源を切って温度を下げ、温度が下げられた後に再び第二電熱線５２と第一電熱線２０とを継続して通電させて加熱する。
【００２２】
前記底板１１の中には音を出せるブザー２１が設置され、人がタイムリーに起きるように注意できる。
【００２３】
前記底板１１の中には下方へ開口したスクリーンチャンバ２８が設置され、前記スクリーンチャンバ２８の頂壁には回路基板３１が設置され、前記回路基板３１の底部端面には目覚まし時計の時間を設定できるタッチスクリーン３０が連結され、前記タッチスクリーン３０が温度の範囲と目覚まし時計の時間を設定できる。
【００２４】
使用する時、タッチスクリーン３０により温度の範囲と目覚まし時計の時間を設定し、マッサージする時、第一モータ４０が起動してネジ山軸４１が回転し始め、ネジ山軸４１がネジ山による連結を通じてネジ山スリーブ４２とマッサージカバー３８とを連動させて上方へ移動させ、第二モータ２３が起動して両側の駆動軸２４を連動させて回転させ、駆動軸２４が第一ベベルギヤ２２を連動させて回転させ、第一ベベルギヤ２２が噛み合いにより回転板２６を連動させて回転させ、回転板２６が回転して固定カバー３５とマッサージカバー３８とを連動させて遠心運動をさせることができ、両側のマッサージカバー３８の同期の遠心運動のもとで頚椎をマッサージし始め、第二モータ２３が停止した後にセンサー３４が測定ロッド４６の位置を測定し、測定ロッド４６が一番左端のところに位置して初めて回転板２６が停止できる。
【００２５】
第一電熱線２０が通電した後に内層枕１７と外側枕１０とを加熱し始めて睡眠の助けになれ、同時に第二電熱線５２が通電した後に第二電熱線カバー５１と温度測定カバー５０とを加熱し始め、温度測定器４８が温度測定カバー５０の温度を測定し、温度測定カバー５０の温度が即ち第一電熱線カバー１８の外側の内層枕１７の温度であり、温度測定器４８は温度測定カバー５０の温度が高すぎることを検出した後に第二電熱線５２と第一電熱線２０との電源を切って温度を下げ、温度が下げられた後に再び第二電熱線５２と第一電熱線２０とを継続して通電させて加熱する。
【００２６】
目覚まし時計が設定した時間になった後、ブザー２１が起動し、寝ている人を起こす。
【００２７】
本発明の有益効果は：本発明は構成が簡単で、操作が便利で、マッサージのヘッドが伸縮でき、寝ている時にぶつかることを避け、熱を生じて睡眠の助けになれ、しかも同時に温度を測定でき、タッチスクリーンと回路基板とにより温度の範囲を制御し、また目覚まし時計の時間を設定でき、多機能を一体化にし、普及する価値がある。
【００２８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである．
【図１】
2020185361.tif 000003
【図２】
2020185361.tif 000004
【図３】
2020185361.tif 000005
【図４】
2020185361.tif 000006